(57)【要約】【課題】装着感を損なうことなく踵部のずれを防止することが可能なフットカバーを提供する。【解決手段】履き口１０が上面に形成され、履き口１０の前方に位置する前方袋部１と、履き口１０の下方に位置する足底部６と、履き口１０の後方に位置する踵部７と、を備えたフットカバー２０であって、前方袋部１において少なくとも履き口１０の前方縁部１０ｆに沿った帯状の部分に、足底部７よりも前後方向での伸縮性が低い低伸縮部４が設けられている。【選択図】図１
2019077958.tif 000002
【特許請求の範囲】
【請求項１】
履き口が上面に形成され、
前記履き口の前方に位置する前方袋部と、前記履き口の下方に位置する足底部と、前記履き口の後方に位置する踵部と、を備えたフットカバーであって、
前記前方袋部において少なくとも前記履き口の前方縁部の両端部の前方側の部分に、前記足底部よりも前後方向での伸縮性が低い低伸縮部が設けられているフットカバー。
【請求項２】
前記低伸縮部が、前記前方袋部において少なくとも前記履き口の前方縁部に沿った帯状の低伸縮帯状部の両端部として構成されている請求項１に記載のフットカバー。
【請求項３】
前記前方袋部が、全周丸編みで編成されたリング部と当該リング部の下半周部から往復編みでつま先を包むように編成されて前記リング部の上半周部に縫合されたつま先部とで構成され、
前記低伸縮部が、前記リング部に編成されている請求項１又は２に記載のフットカバー。
【請求項４】
前記履き口の前方縁部を通って全周にわたる帯状の部分に、前記足底部よりも周方向での弾性が高い高弾性帯状部が編成され、
前記低伸縮帯状部が、前記高弾性帯状部の前方に隣接して設けられている請求項１〜３の何れか１項に記載のフットカバー。
【請求項５】
前記履き口の後方縁部が、前記踵部の上方端部を折り返してなる折り返し部として構成されている請求項１〜４の何れか１項に記載のフットカバー。
【請求項６】
前記履き口の両側方縁部が、往復編みで編成された前記足底部の両側方端部として構成されている請求項１〜５の何れか１項に記載のフットカバー。
【発明の詳細な説明】
【技術分野】
【０００１】
本発明は、履き口が上面に形成され、
前記履き口の前方に位置する前方袋部と、前記履き口の下方に位置する足底部と、前記履き口の後方に位置する踵部と、を備えたフットカバーに関する。
【背景技術】
【０００２】
靴下の一種として、スニーカやパンプス等の靴を履くときに着用しても、殆どが靴の内側に隠れて見えなくなって、素足で靴を履いているように見えるフットカバーが知られている。
かかるフットカバーは、他の普通の靴下に比べて履き口が大きく開口しているため、踵部が歩行中にずれて脱げてしまうという問題がある。
そして、このような問題を解決するフットカバーとして、踵部の内面にシリコン樹脂製の滑り止め部が貼り付けられたもの（例えば特許文献１を参照。）が提案されている。
【先行技術文献】
【特許文献】
【０００３】
【特許文献１】特開２０１４−４３６６２号公報
【発明の概要】
【発明が解決しようとする課題】
【０００４】
上記特許文献１に記載のフットカバーでは、踵部の内面に滑り止め部が貼り付けられているので、踵部の内面には凹凸が形成されて、装着感が悪化するという問題が生じる。また、このような滑り止め部は洗濯や長期使用等によって剥がれ易く、踵部のずれの防止効果を維持できなくなる場合があった。
【０００５】
この実情に鑑み、本発明の主たる課題は、装着感を損なうことなく踵部のずれを防止することが可能なフットカバーを提供する点にある。
【課題を解決するための手段】
【０００６】
本発明の第１特徴構成は、履き口が上面に形成され、
前記履き口の前方に位置する前方袋部と、前記履き口の下方に位置する足底部と、前記履き口の後方に位置する踵部と、を備えたフットカバーであって、
前記前方袋部において少なくとも前記履き口の前方縁部の両端部の前方側の部分に、前記足底部よりも前後方向での伸縮性が低い低伸縮部が設けられている点にある。
【０００７】
本構成によれば、履き口の前方に位置する前方袋部に上記低伸縮部が設けられているので、着用時に全体が前後方向に伸張する際に、上記低伸縮部での前後方向の伸張が足底部よりも抑制されることになる。すると、上記低伸縮部から履き口の前方縁部の両端部に対して前方へ引っ張る引張力が生じ、その引張力が履き口の側方縁部を通じて履き口の後方縁部の両端部に伝達されることになる。
このように履き口の後方縁部の両端部に前方へ引っ張る引張力が作用すると、当該履き口の後方縁部が着用者の踵上方の窪み（アキレス腱部の窪み）に対して良好に引っ掛かり、その状態が維持される。よって、踵部が歩行中にずれることを好適に防止することができる。
従って、本発明により、装着感を損なうことなく踵部のずれを防止することが可能なフットカバーを提供することができる。
【０００８】
本発明の第２特徴構成は、前記低伸縮部が、前記前方袋部において少なくとも前記履き口の前方縁部に沿った帯状の低伸縮帯状部の両端部として構成されている点にある。
【０００９】
本構成によれば、低伸縮部が前記前方袋部において少なくとも前記履き口の前方縁部に沿った帯状の低伸縮帯状部の両端部として構成されているので、着用時に全体が前後方向に伸張する際に、履き口の前方縁部全体を前方へ引っ張る引張力を生じさせることができる。このことにより、着用者の足甲を履き口から一層大きく露出させることができる。更に、履き口の後方縁部の両端部に伝達される前方への引張力を増加させて、踵部のずれを一層防止することができる。
【００１０】
本発明の第３特徴構成は、前記前方袋部が、全周丸編みで編成されたリング部と当該リング部の下半周部から往復編みでつま先を包むように編成されて前記リング部の上半周部に縫合されたつま先部とで構成され、
前記低伸縮部が、前記リング部に編成されている点にある。
【００１１】
本構成によれば、前方袋部の後方側が全周丸編みで編成された上記リング部として構成されているので、そのリング部において、上記低伸縮部を、履き口の前方縁部の両端部の前方側の部分に容易に編成することができる。即ち、履き口の両側方縁部の前方端部（言い換えれば履き口の前方縁部の両端部）の直前方側に上記低伸縮部が位置することになる。すると、着用時において、上記低伸縮部からその直後方側に位置する履き口の両側方縁部の前端部に対して良好に引張力を作用させることができ、履き口の後方縁部の両端部に伝達される引張力を増加させて、踵部のずれを一層防止することができる。
【００１２】
本発明の第４特徴構成は、前記履き口の前方縁部を通って全周にわたる帯状の部分に、前記足底部よりも周方向での弾性が高い高弾性帯状部が編成され、
前記低伸縮帯状部が、前記高弾性帯状部の前方に隣接して設けられている点にある。
【００１３】
本構成によれば、上記履き口の前方縁部を通る全周部を上記高弾性帯状部として構成することで、着用時において高弾性帯状部を周方向で収縮させて着用者の土踏まず付近の窪みに密着させることができる。よって、着用時において、高弾性帯状部の略上半周部では、低伸縮帯状部から履き口の両側方縁部の前方端部に対して前方へ引っ張る引張力を好適に伝達させることができ、一方、高弾性帯状部の略上半周部では、上記引張力により足底部が前方にずれること防止することができる。
【００１４】
本発明の第５特徴構成は、前記履き口の後方縁部が、前記踵部の上方端部を折り返してなる折り返し部として構成されている点にある。
【００１５】
本構成によれば、履き口の後方縁部を上記折り返し部として構成することで、着用者の踵上方の窪みへの履き口の後方縁部の引っ掛かりを良好なものとして、踵部のずれを一層防止することができる。
【００１６】
本発明の第６特徴構成は、前記履き口の両側方縁部が、往復編みで編成された前記足底部の両側方端部として構成されている点にある。
【００１７】
本構成によれば、往復編みの両側方端部についてはウェール方向（編地の縦方向）の伸縮性が低下することを利用して、履き口の両側方縁部を往復編みで編成された足底部の両側方端部として構成することで、上記低伸縮帯状部から履き口の両側方縁部の前方端部に伝達された引張力を、伸縮性が低い履き口の両側方縁部を通じて確実に、履き口の後方縁部の両端部に作用させることができる。
【図面の簡単な説明】
【００１８】
【図１】本実施形態に係るフットカバーの側面図
【図２】本実施形態に係るフットカバーの平面図
【図３】本実施形態に係るフットカバーの低伸縮帯状部における編み組織を示す図
【図４】本実施形態に係るフットカバーの低伸縮帯状部における編み組織の別例を示す図
【発明を実施するための形態】
【００１９】
本発明の実施形態について図面に基づいて説明する。
図１及び図２に示すフットカバー２０は、履き口１０が上面に形成され、その履き口１０の前方に位置する前方袋部１と、その履き口１０の下方に位置する足底部６と、その履き口１０の後方に位置する踵部７と、を備えて構成されている。尚、このようなフットカバー２０は、公知の全自動丸編み機によって一体的に編成することができる。
【００２０】
フットカバー２０は、前後方向に伸張させながら履き口１０に足を挿入して着用され、着用時において履き口１０からは、着用者の足首と足甲の大部分が露出された状態となる。よって、スニーカやパンプス等の靴を履くときにこのようなフットカバー２０を着用すると、その殆どが靴の内側に隠れて見えなくなり、素足で靴を履いているように見える。
【００２１】
履き口１０の前方に位置する前方袋部１は、全周丸編みで編成されたリング部３と当該リング部３の下半周部からつま先を包むように往復編みで編成されてリング部３の上半周部に対してリンキング等による縫合部１２で縫合されたつま先部２とで構成されている。このつま先部２の両側面には、当該つま先部２を立体的に膨らむように形成するためのゴアライン１３が設けられている。尚、本実施形態において、前方袋部１は、後述する低伸縮帯状部４や高弾性帯状部５を除いて、通常のメリヤス編みにより編成されている。
【００２２】
履き口１０の下方に位置する足底部６は、リング部３の下半周部から着用者の足底や足側部に沿って往復編みにより編成されている。履き口１０の後方に位置する踵部７は、足底部６の後方から着用者の踵を包むように往復編みで編成されている。踵部７の両側面には、当該踵部７を立体的に膨らむように形成するためのゴアライン１４が設けられている。尚、足底部６及び踵部７は、後述する折り返し部８を除いて、通常のメリヤス編みにより編成されている。
【００２３】
履き口１０は、リング部３の上半周部の後方端部となる前方縁部１０ｆと、足底部６の両側方端部となる両側方縁部１０ｓと、踵部７の上方端部となる後方縁部１０ｒとで囲われた開口として形成されている。
【００２４】
以上がフットカバー２０の基本構成であるが、本実施形態のフットカバー２０は、装着感を損なうことなく踵部７のずれを防止するための特徴構成を有する。以下に、その特徴構成について説明を加える。
【００２５】
前方袋部１において少なくとも履き口１０の前方縁部１０ｆに沿った帯状の部分に、足底部６よりも前後方向での伸縮性が低い低伸縮帯状部４が設けられている。具体的には、低伸縮帯状部４は、前方袋部１の後方側を構成するリング部３において、上中央部から左右に延びる帯状であって、図１に示すように、その両端部を履き口１０の前方縁部１０ｆの両端部よりも若干下方側に位置させたものとして編成されている。
そして、この低伸縮帯状部４の両端部は、前方袋部１において少なくとも履き口１０の前方縁部１０ｆの両端部の前方側の部分に設けられ、足底部よりも前後方向での伸縮性が低い低伸縮部４ａとなる。
【００２６】
上記のように編地のウェール方向（縦方向）に相当するフットカバー２０の前後方向において足底部６よりも伸縮性が低い低伸縮帯状部４については、様々な方法により構成することができる。
例えば、足底部６が通常のメリヤス編みで編成されているのに対して、図３又は図４に示すように、ウェール方向に伸び難い性質を有するタック編みにより低伸縮帯状部４を編成することで、当該低伸縮帯状部４の伸縮性を足底部６よりも低くすることができる。
具体的に、図３に示すタック編みは、ウェール方向Ｗにおいて１目飛ばしのタック部Ｔ１を同じウェール上に形成すると共に、そのタック部Ｔを形成したウェールをコース方向Ｃ（横方向）において一目おきに出現させたものとして構成されている。尚、この１目飛ばしのタック部Ｔ１は、メリヤス編みにおいて給糸Ｙにより編み目を形成する時に、同時に２つの編み目をくぐって編み糸を引き出して形成される。
また、図４に示すタック編みは、ウェール方向Ｗにおいて２目飛ばしのタック部Ｔ２を千鳥配置して構成されている。この２目飛ばしのタック部Ｔ２は、メリヤス編みにおいて給糸Ｙにより編み目を形成する時に、同時に３つの編み目をくぐって編み糸Ｙを引き出して形成される。
【００２７】
また、このような低伸縮性の低伸縮帯状部４は、例えば、給糸に高弾性又は非伸縮性等の添え糸や後の熱処理で硬化する熱融着糸を添えたメリヤス編み等で編成することでも、低伸縮帯状部４の伸縮性を低下させることができる。また、上記以外の編成方法、例えば鹿の子編みやゴム編み等によっても、低伸縮性の低伸縮帯状部４を編成することができる。また、この低伸縮帯状部４は、塩化ビニルやシリコン製のラミネートを高温で定着させてなるプリント部として構成したり、低伸縮帯状部４の編地に別の布地を縫合又は接着して２重構造とすることでも、当該低伸縮帯状部４の伸縮性を低下させることができる。
【００２８】
このような低伸縮帯状部４が前方袋部１のリング部３に設けられていることで、着用時に全体が前後方向に伸張する際に、上記低伸縮帯状部４での前後方向の伸張が足底部６よりも抑制されることになる。すると、上記低伸縮帯状部４の特に低伸縮部４ａから履き口１０の前方縁部１０ｆの両端部に対して前方へ引っ張る引張力が生じ、その引張力が履き口１０の側方縁部１０ｓを通じて履き口１０の後方縁部１０ｒの両端部に伝達されることになる。
【００２９】
このように履き口１０の後方縁部１０ｒの両端部に前方へ引っ張る引張力が作用すると、当該履き口１０の後方縁部１０ｒが着用者の踵上方の窪みに対して良好に引っ掛かり、その状態が維持される。このことで、踵部７が歩行中にずれることを好適に防止することができる。
【００３０】
更に、前方袋部１において全周丸編みで編成されたリング部３において、低伸縮帯状部４の両端部の部分である低伸縮部４ａが、特に図１に示すように、履き口１０の前方縁部１０ｆの両側方縁部１０ｓに対する接続部である両端部の前方側の部分に設けられたものとなる。このことから、着用時において、低伸縮部４ａからその直後方側に位置する履き口１０の両側方縁部１０ｓの前端部に対して良好に引張力が作用することになる。よって、履き口１０の後方縁部１０ｒの両端部に伝達される引張力が増加して、踵部７のずれが一層防止されている。
【００３１】
更に、低伸縮帯状部４が、履き口１０の前方縁部１０ｆに沿った帯状の部分として構成されているので、着用時において、履き口１０の前方縁部１０ｆ全体を前方へ引っ張る引張力が生じることになり、着用者の足甲が履き口から一層大きく露出することになる。
【００３２】
履き口１０の後方縁部１０ｒは、踵部７の上方端部を２重に折り返して縫合してなる折り返し部８として構成されている。更に、この折り返し部８には、ゴム糸が緯方向に挿入されている。即ち、折り返し部８は、他の部分よりも厚みがあって左右方向に高弾性の部分として構成されることになる。このことにより、折り返し部８として構成された履き口１０の後方縁部１０ｒは、着用者の踵上方の窪みへの引っ掛かりが良好なものとなって、踵部７のずれが一層防止されることになる。
【００３３】
往復編みの両側方端部についてはウェール方向の伸縮性が低下することから、往復編みで編成された足底部６の両側方端部として構成された履き口１０の両側方縁部１０ｓは、足底部６の中央部側よりもウェール方向の伸縮性が低下する。このことから、低伸縮帯状部４から履き口１０の両側方縁部１０ｓの前方端部に伝達された引張力は、伸縮性が低い履き口１０の両側方縁部１０ｓを通じて確実に、履き口１０の後方縁部１０ｒの両端部に作用することになって、結果、踵部７のずれが一層防止されている。
【００３４】
履き口１０の前方縁部１０ｆを通って全周にわたる帯状の部分には、足底部６よりも周方向での弾性が高い高弾性帯状部５が編成されている。そして、高弾性帯状部５の略上半周部の前方に低伸縮帯状部４が隣接して設けられており、高弾性帯状部５の略上半周部の後方に履き口１０の前方縁部１０ｆが隣接配置されている。
【００３５】
このような高弾性帯状部５は、着用時において周方向で収縮して、着用者の土踏まず付近の窪みに密着する。このことで、足底部６が前後方向にずれることが防止されている。一方、高弾性帯状部５の略上半周部では、着用者の甲に殆ど窪みがないことから、適度に前方に移動することが許容されている。このことから、低伸縮帯状部４の反発力が履き口１０の両側方縁部１０ｓの前方端部に対して前方へ引っ張る引張力として好適に伝達させることができる。尚、本実施形態において、高弾性帯状部５は、通常のゴム編みで編成されているが、例えばゴム糸を添えて弾性を高めるように編成しても構わない。
【００３６】
〔別実施形態〕
本発明の他の実施形態について説明する。尚、以下に説明する各実施形態の構成は、それぞれ単独で適用することに限らず、他の実施形態の構成と組み合わせて適用することも可能である。
【００３７】
（１）上記実施形態では、前方袋部１において少なくとも履き口１０の前方縁部１０ｆに沿った帯状の低伸縮帯状部４の両端部を低伸縮部４ａとしたが、前方袋部１において履き口１０の前方縁部１０ｆの両端部の前方側の部分のみに低伸縮部を設けても構わない。
【００３８】
（２）上記実施形態では、履き口１０の前方に位置する前方袋部１を、全周丸編みで編成したリング部３と往復編みで編成したつま先部２とで構成したが、例えば、リング部３を省略して、往復編みのみでつま先を包むように前方袋部１を編成しても構わない。
【００３９】
（３）上記実施形態では、履き口１０の後方縁部１０ｒを、踵部７の上方端部を折り返してなる折り返し部８として構成したが、踵部７の上方端部を折り返すことなく例えばゴム編み等を施して履き口１０の後方縁部１０ｒを構成しても構わない。
【００４０】
（４）上記実施形態では、履き口１０の前方縁部１０ｆを通って全周にわたる帯状の部分に高弾性帯状部５を編成したが、この高弾性帯状部５の形状や配置については適宜改変することができ、また、この高弾性帯状部５については省略しても構わない。
【００４１】
（５）上記実施形態で説明したフットカバー２０では、踵部７の内面にシリコン樹脂製の滑り止め部を設けていないが、本発明はこのような構成に限定されるものではなく、例えば踵部７の内面に滑り止め部を追加して、踵部７のずれを一層良好に防止するように構成しても構わない。
【符号の説明】
【００４２】
１      前方袋部
２      先部
３      リング部
４      低伸縮帯状部
４ａ    低伸縮部
５      高弾性帯状部
６      足底部
７      踵部
８      折り返し部
１０    口
１０ｆ  前方縁部
１０ｒ  後方縁部
１０ｓ  側方縁部
２０    フットカバー
【図１】
2019077958.tif 000003
【図２】
2019077958.tif 000004
【図３】
2019077958.tif 000005
【図４】
2019077958.tif 000006